(57)【要約】【課題】引出扉式貯蔵室の扉開成時における冷気の無駄な漏出を抑制しつつ上部容器の引き出しも容易に行える冷蔵庫の提供。【解決手段】扉の引出開閉によって引き出される下段容器２１と、下段容器に係合して下段容器とともに引き出される上段容器２２と、下段容器の引出途中で上段容器の下段容器に対する係合を解除する係合解除手段３３とを備えた構成としてある。これにより、扉を引出開成すると下段容器とともに上段容器が引き出されるが、その引出途中で下段容器と上段容器との係合が解除されて上段容器はその位置にとどまり下段容器だけが更に引き出される。その結果、上段容器はその前方部分のみが冷蔵庫本体から露出するような形となるから冷気の漏出が大幅に抑制されるとともに、冷蔵庫本体外から容易に視認することもでき、容易に上段容器の前方部に手をかけてこれを引き出すことができる。【選択図】図７
2015200420.tif 000002
【特許請求の範囲】
【請求項１】
引出扉式の貯蔵室を備えた冷蔵庫であって、前記貯蔵室は、扉の引出開閉によって出し入れされる下段容器と、前記下段容器に係合して下段容器とともに引き出される上段容器と、前記下段容器の引出動作に伴ってその引出途中で前記上段容器の下段容器に対する係合を解除する係合解除手段とを備えた冷蔵庫。
【請求項２】
係合解除手段は下段容器の引出に伴って前記下段容器と上段容器との係合を解除する方向に上段容器を移動させる構成とした請求項１記載の冷蔵庫。
【請求項３】
下段容器に対する上段容器の係合解除後の上段容器の移動を停止させるストッパー部を更に有する請求項１または２記載の冷蔵庫。
【請求項４】
下段容器の開口に上段容器をスライド自在に載置するとともに下段容器と上段容器の載置面のいずれか一方に凹部、他方に凸部を設けて、当該凹部と凸部とで係合手段を構成するとともに、貯蔵室の側壁面には上段容器に設けたフランジ部をスライド自在に支持するレール部を設け、前記フランジ部の一部にレール部側に突出する係合解除手段を設けて、当該係合解除手段の前記レール部への乗り上げによって前記上段容器を上方に移動させ前記係合手段である凹部と凸部との係合を解除する構成とした請求項１〜３のいずれか１項記載の冷蔵庫。
【発明の詳細な説明】
【技術分野】
【０００１】
本発明は、引出扉式の貯蔵室を有する冷蔵庫に関するものである。
【背景技術】
【０００２】
一般に家庭用冷蔵庫は、扉の引き出しによって開口される引出扉式の貯蔵室が設けてあり、野菜室や冷凍室等として利用されている。この引出扉式の貯蔵室は扉内面に取り付けた支持部材に容器を支持させて構成してあり、扉の開閉に伴って容器が貯蔵室から出し入れされるようになっている。
【０００３】
前記容器は、通常上・下二段の容器で構成されていて、下段容器の上に上段容器を載置して構成してあり、下段容器の引出に伴い上段容器も引き出されるタイプ（例えば、特許文献１）と、上段容器は冷蔵庫本体内に残っていて下段容器のみが引き出されるタイプ（例えば、特許文献１の従来例記載）が実用化されている。
【０００４】
図１１は特許文献１に記載された引出扉式貯蔵室の例を示し、１０１は下段ケース、１０２はその開口部に載置した上段ケースで、上段ケース１０２に設けた凸部１０３が下段ケース１０１に設けたラッチ１０４に係当して下段ケース１０１とともに上段ケース１０２が引き出されるようになっている。
【先行技術文献】
【特許文献】
【０００５】
【特許文献１】特開平１１−３１１４７９号公報
【発明の概要】
【発明が解決しようとする課題】
【０００６】
しかしながら、上記特許文献１に記載されている下段容器１０１の引出に伴い上段容器１０２も引き出されるタイプのものは、扉１０５を開いて下段容器１０１を引き出した際にその上部に上段容器１０２が位置していて、下段容器１０１内の食材を取り出す時に必ず上段容器１０２を冷蔵庫本体内に押し込む作業が必要になり使い勝手が悪いとともに、扉開成のつど上段容器１０２の大部分が冷蔵庫本体外に出て上段容器内１０２の冷気の大部分が漏出され、かつ、温度の高い外気に触れることになるので、冷却効率が低くなって省エネ性を損なうという課題があった。特にこのタイプの引出扉式貯蔵室を冷凍室に適用して上段容器の一部を製氷装置の氷受け皿として利用する場合には、氷の表面氷解が生じてこれが再氷化して大きな氷塊になることに結びつき、氷が使い勝手の悪いものとなってしまうという課題もあった。
【０００７】
一方、扉開成時に上段容器が冷蔵庫本体内に残っていて下段容器のみが引き出されるタイプのものは、上段容器に収納している食材を使用する際にはまず下段容器を引出しその後に上段容器に手をかけて引き出すのであるが、この上段容器は扉内面より内側位置であって冷蔵庫本体の比較的奥まったところに位置しているため、上段容器に手がかけづらく使い勝手が悪いという課題があった。特に冷蔵庫本体の最下段の貯蔵室にこのタイプの引出扉式貯蔵室を適用した場合、上部容器の位置がかなり低い位置となるため扉を引出開成しても上段容器の手前部分を視認することができず、腰をかがめるなどしなければならないなど、その使い勝手はかなり悪いものとなるものであった。そのうえ、扉開成時に上段容器が冷蔵庫本体内に残っていて視認することができないため上段容器に食材を収納していること自体を忘れてしまい、同じ食材を二重買いしてしまったり、長期間使用せずに放置してこれを廃棄せざるを得なくなったりする等の無駄を招来するという課題もあった。
【０００８】
本発明はこのような点に鑑みてなしたもので、冷気の無駄な漏出を抑制して省エネ性を向上しつつ上部容器の引き出しも容易に行える冷蔵庫の提供を目的としたものである。
【課題を解決するための手段】
【０００９】
本発明は、上記従来の課題を解決するために、引出扉式の貯蔵室を備えた冷蔵庫であって、前記貯蔵室は、扉の引出開閉によって出し入れされる下段容器と、前記下段容器に係合して下段容器とともに引き出される上段容器と、前記下段容器の引出動作に伴ってその引出途中で前記上段容器の下段容器に対する係合を解除する係合解除手段とを備えた構成としてある。
【００１０】
これにより、扉を引出開成すると下段容器とともに上段容器が引き出されてその引出途中で下段容器と上段容器との係合が解除され、上段容器はその位置にとどまり下段容器だけが更に引き出されるようになる。その結果、上段容器は下段容器との係合解除位置にとどまってその前方部分のみが冷蔵庫本体から露出するような形となるから、上段容器内の冷気の漏出を大幅に抑制することができるとともに、上段容器はその前方部分が冷蔵庫本体から露出したような形となるから、冷蔵庫本体外から容易に視認することができ、上段容器の引出も腰をかがめて上段容器の前方部を探すようなことをすることなく容易に容器前方部に手をかけてこれを引き出すことができる。
【発明の効果】
【００１１】
本発明の冷蔵庫は、上記構成により、引出扉式貯蔵室の扉開成時における上段容器内の冷気の無駄な漏出を抑制できるとともに上段容器の引出操作も容易に行え、省エネ性が高く、かつ、使い勝手の良い冷蔵庫とすることができる。
【図面の簡単な説明】
【００１２】
【図１】本発明の実施の形態１における冷蔵庫の正面図
【図２】同実施の形態１における冷蔵庫の断面図
【図３】同実施の形態１における冷蔵庫の冷凍室を示す斜視図
【図４】同実施の形態１における冷蔵庫の冷凍室において下段容器を引き出した時の断面図
【図５】同実施の形態１における冷蔵庫の冷凍室において下段容器とともに上段容器を引き出した時の断面図
【図６】同実施の形態１における冷蔵庫の冷凍室の扉引出前の状態を示す動作説明図
【図７】同実施の形態１における冷蔵庫の冷凍室扉引出開成時における下段容器と上段容器との係合解除時の動作説明図
【図８】同実施の形態１における冷蔵庫の冷凍室扉引出開成時における上段容器停止後の下段容器の引出状態を示す動作説明図
【図９】同実施の形態１における冷蔵庫の図８の図の要部拡大断面図
【図１０】同実施の形態１における冷蔵庫の冷凍室に設けた下段容器と上段容器を示す斜視図
【図１１】従来の冷蔵庫の貯蔵室を示す断面図
【発明を実施するための形態】
【００１３】
第１の発明は、引出扉式の貯蔵室を備えた冷蔵庫であって、前記貯蔵室は、扉の引出開閉によって出し入れされる下段容器と、前記下段容器に係合して下段容器とともに引き出される上段容器と、前記下段容器の引出動作に伴ってその引出途中で前記上段容器の下段容器に対する係合を解除する係合解除手段とを備えた構成としてある。
【００１４】
これにより、扉を引出開成すると下段容器とともに上段容器が引き出されてその引出途
中で下段容器と上段容器との係合が解除され、上段容器はその位置にとどまり下段容器だけが更に引き出されるようになる。その結果、上段扉は下段容器との係合解除位置にとどまってその前方部分のみが冷蔵庫本体から露出するような形となるから、上段容器内の冷気の漏出を大幅に抑制することができるとともに、上段容器はその前方部分が冷蔵庫本体から露出したような形となるから、冷蔵庫本体外から容易に視認することができ、上段容器の引出も腰をかがめて上段容器の前方部を探すようなことをすることなく容易に容器前方部に手をかけてこれを引き出すことができる。
【００１５】
第２の発明は、第１の発明において、係合解除手段は下段容器の引出に伴って前記下段容器と上段容器の係合を解除する方向に上段容器を移動させる構成としてある。
【００１６】
これにより、下段容器を引き出すだけでガイド部が下段容器と上段容器の係合を解除するので、別途解除動作をすることなく下段容器に対する上段容器の係合を自動的に解除でき、更に操作性の良いものとすることができて使い勝手が向上する。
【００１７】
第３の発明は、第１または第２の発明において、下段容器に対する上段容器の係合解除後の上段容器の移動を停止させるストッパー部を更に有する構成としてある。
【００１８】
これにより、下段容器に対する係合解除後に上段容器が下段容器への載置部分の摩擦等によって下段容器とともに引き出されるのを防止して確実に停止させることができ、上段容器の必要以上の露出を抑制して無用な冷気の漏出等を防止し、より高い省エネ性を確保することができる。
【００１９】
第４の発明は、第１〜第３の発明において、下段容器の開口に上段容器をスライド自在に載置するとともに、下段容器と上段容器の載置面のいずれか一方に凹部、他方に凸部を設けて、当該凹部と凸部とで係合手段を構成するとともに、貯蔵室の側壁面には上段容器に設けたフランジ部をスライド自在に支持するレール部を設け、前記フランジ部の一部にレール部側に突出する係合解除手段を設けて、当該係合解除手段の前記レール部への乗り上げによって前記上段容器を上方に移動させ前記係合手段である凹部と凸部との係合を解除する構成としてある。
【００２０】
これにより、上段容器をスライド自在に支持する機構を利用した簡単な係合解除手段によって前記第１の発明の効果を得ることができ、安価で省エネ性が高く、かつ、使い勝手の良い冷蔵庫とすることができる。
【００２１】
以下、本発明の実施の形態について、図面を参照しながら説明する。尚、この実施の形態によって本発明が限定されるものではない。
【００２２】
（実施の形態１）
図１は本発明の実施の形態１における冷蔵庫の正面図、図２は同実施の形態１における冷蔵庫の断面図、図３は同実施の形態１における冷蔵庫の冷凍室を示す斜視図、図４は同実施の形態１における冷蔵庫の冷凍室において下段容器を引き出した時の断面図、図５は同実施の形態１における冷蔵庫の冷凍室において下段容器とともに上段容器を引き出した時の断面図、図６は同実施の形態１における冷蔵庫の冷凍室の扉引出前の状態を示す動作説明図、図７は同実施の形態１における冷蔵庫の冷凍室扉引出開成時における下段容器と上段容器との係合解除時の動作説明図、図８は同実施の形態１における冷蔵庫の冷凍室扉引出開成時における上段容器停止後の下段容器の引出状態を示す動作説明図、図９は同実施の形態１における冷蔵庫の図８の図の要部拡大断面図、図１０は同実施の形態１における冷蔵庫の冷凍室に設けた下段容器と上段容器を示す斜視図である。
【００２３】
まず、冷蔵庫の全体構成について説明する。
【００２４】
図１、図２において、本実施の形態に係る冷蔵庫は、前方を開口した冷蔵庫本体１を備え、この冷蔵庫本体１は、図２に示すように主に鋼板を用いた外箱２と、ＡＢＳなどの硬質樹脂で成型された内箱３と、前記外箱２と内箱３との間に充填された硬質発泡ウレタン等の発泡断熱材４とから構成されている。冷蔵庫本体１は、仕切板５、６によって複数の貯蔵室に区分されており、冷蔵庫本体１の最上部を冷蔵室７、その冷蔵室７の下部を野菜室８、そして最下部を冷凍室９として、真ん中野菜室タイプの冷蔵庫となっている。前記各貯蔵室のうち野菜室８と冷凍室９は引出扉式の貯蔵室となっており、冷蔵室の扉１０は観音開き式、野菜室８と冷凍室９の扉１１、１２は引出開閉式となっている。
【００２５】
冷蔵庫本体１の上部後方領域には機械室１４が設けられており、圧縮機１５、水分除去を行うドライヤ（図示せず）等の冷凍サイクルの高圧側構成部品が収容されている。
【００２６】
また、冷蔵庫本体１の背面には冷気を生成する冷却室１６が設けられている。この冷却室１６は冷凍室９の背面から野菜室８の下部背面に渡って形成されており、野菜室８との間は発泡スチロール等によって断熱性を持たせた奥面仕切壁体１７を設けて断熱仕切りされている。
【００２７】
冷却室１６内には冷却器１８が配設されており、冷却器１８の上部には冷却ファン１９が配置されている。前記冷却ファン１９は、冷却器１８により冷却された冷気を冷気搬送路２０に送り出し、この冷気搬送路２０を介して冷蔵室７、野菜室８、冷凍室９に冷気を強制循環させ各室を冷却するようになっている。
【００２８】
次に引出扉式の貯蔵室の一つである冷凍室９の構成について図３〜図８を用いて説明する。
【００２９】
図３〜図８において、冷凍室９は扉１２の開閉によって出し入れする下段容器２１とその下段容器２１の上面開口部に載置した上段容器２２とによって構成されている。
【００３０】
下段容器２１はその両側壁に設けたレール部２３を前記扉１２の内面下部両側に取り付けた支持部材２４に載置係合させて、既述した如く扉１２の開閉により出し入れするようになっている。
【００３１】
上段容器２２は図６〜図９に示すようにその両側壁下部に設けた第１凸部２５、第２凸部２６を前記下段容器２１の開口部に設けた容器支持用レール部２７に載置してあり、下段容器２１に対し前後摺動自在となっている。また、この上段容器２２はその上面開口部にフランジ部２８を有していて、冷凍室９の側壁に設けた容器支持用室内第１レール部２９、容器支持用室内第２レール部３０に摺動自在に支持させてある。
【００３２】
ここで、上記下段容器２１はその容器支持用レール部２７の前方部分に前記上段容器２２の第１凸部２５が嵌り込む凹部３１が形成してあり、この凹部３１への第１凸部２５の嵌合により下段容器２１と上段容器２２とが係合している。すなわち下段容器２１と上段容器２２との載置面部分に設けた凹部３１と第１凸部２５とで下段容器２１と上段容器２２とを係合させる係合手段３２を構成している。
【００３３】
また、前記上段容器２２のフランジ部２８はその下面一部に、前記係合手段３２による上段容器２２と下段容器２１との係合を解除する係合解除手段３３が設けてある。この係合解除手段３３は図９に示すように下向きに突出形成してあり、下段容器２１とともに上段容器２２が前方に引き出されていくと、上段容器２２はその移動途中でフランジ部２８
の係合解除手段３３が前記冷凍室９側壁の容器支持用室内第１レール部２９に乗り上げて浮き上がり、前記第１凸部２５と凹部３１との嵌合が外れるようになっている。
【００３４】
さらに、前記係合解除手段３３が乗り上げる容器支持用室内第１レール部２９の上縁にはストッパー３４を設け、係合解除手段３３の一部には前記ストッパー３４に係当する突片３５が設けてある。
【００３５】
なお、この実施の形態においては、上記係合解除手段３３は容器支持用室内第１レール部２９への乗り上げがスムーズに行われるように断面略椀状に突出形成してある。また、容器支持用室内第１レール部２９もその上縁はストッパー３４を頂点とした山形状に形成して係合解除手段３３の乗り上げがよりスムーズになるように設定してある。
【００３６】
さらに、上記係合解除手段３３は、上段容器２２の前後方向の中心より前方位置、この実施の形態では上段容器２２の開口前方端が冷蔵庫本体１の前面に位置する時点で容器支持用室内第１レール部２９に乗り上げて第１凸部２５と凹部３１との係合が解除される位置に設けてある。
【００３７】
また、上記冷凍室９はこの実施の形態ではその天井部の一部に周知の製氷装置（図示せず）が設けてあり、この製氷装置と対向する上段容器２２の一部分は氷受け部２２ａとし、他方を冷凍食品収納部２２ｂとしてある。
【００３８】
次に上記引出扉式貯蔵室である冷凍室９の作用効果について図３〜図９、主には図６〜図９を用いて説明する。
【００３９】
まず、この冷蔵庫の冷凍室９はその扉１２を閉じている状態では下段容器２１の凹部３１に上段容器２２の第１凸部２５が嵌り込んでいて下段容器２１と上段容器２２が係合状態にある。
【００４０】
この状態で扉１２を引出開成すると、下段容器２１が前方に引き出されるとともに上段容器２２も下段容器２１の凹部３１に嵌合している第１凸部２５を介して下段容器２１とともに前方へ引き出される。
【００４１】
そして、上段容器２２はその開口部のフランジ部２８に設けた係合解除手段３３が冷凍室９側壁の容器支持用室内第１レール部２９に到達するとこれに乗り上げて浮き上がり、前記第１凸部２５と凹部３１との嵌合が外れて下段容器２１との係合が解除され、上段容器２２はその位置で停止する。すなわち、上段容器２２はその大部分が冷蔵庫本体１内に残った状態で外部に引き出されることなく所定位置で停止する。
【００４２】
この実施の形態では上段容器２２はその前方端が冷蔵庫本体１前面と略同じ位置まで引き出されてその前方端部分が冷凍室９から露出した状態で停止する。
【００４３】
そして、下段容器２１はそのまま更に前方へと引き出される。
【００４４】
したがって、上段容器２２はその上部開口面の大部分が冷凍室９内に位置していて外気にさらされることがないので、上段容器２２内から冷気が外部に漏出するのを抑制することができるとともに、温度の高い外気が上段容器２２内に入り込むのを抑制することができ、冷却損失を低減して冷却効率を高め、省エネ性を向上させることができる。
【００４５】
また、この実施の形態のように冷凍室９に製氷装置を設けて上段容器２２に氷を溜めるようにしたものにあっては、上段容器２２内の氷が温度の高い多量の外気に触れてその表
面が氷解し、これが再氷化して大きな氷塊になるのを防止でき、使い勝手の良いものとすることができる。
【００４６】
更に上段容器２２は、引出初期は下段容器２１とともに引き出されるものの、既述した如く冷蔵庫本体１前面と略同じ位置で停止して下段容器２１の前部のみが冷蔵庫本体１の外に臨むようになるので、例えば、下段容器２１の前部に食材を収納したり、下段収納容器前部に収納してある食材を取り出したりするようなとき、換言すると下段容器２１を少しだけ引出開成して使用するときには、上段容器２２が冷蔵庫本体１の冷凍室９内に位置したままとなるので、冷気漏れや温度の高い外気侵入を効果的に抑制することができ、効果的である。
【００４７】
さらにまた、上記上段容器２２はわずかに引き出された時には図７の（Ｙ）に示すようにその後端が下段容器２１の容器支持用レール部２７に接しているので、下段容器２１との係合解除後も下段容器２１との接触部分（Ｙ）の摩擦によって下段容器２１とともに更に引き出されようとするが、この実施の形態では図９に示すように容器支持用室内第１レール部２９にストッパー３４が設けてあってこれに係合解除手段３３の突片３５が係当し、その位置で確実に停止する。したがって、上段容器２２が所定位置で停止せず余分に引き出されるようなことがなくなり、余分に引き出されることによって冷気の漏出する量が増えたり高温外気にさらされる度合いが多くなったりするのを防止でき、省エネ性を確実に高めることができる。
【００４８】
加えて、上段容器２２はその前方端が冷蔵庫本体１前面と略同じ位置まで引き出されてその前方一部分が冷凍室９から視認できるようになるので、使用者は上段容器２２を引出す必要があるときには容易に上段容器２２の前端部に手をかけて上段容器２２を引き出すことができ、その使用性は非常に良いものとなる。その際、この実施の形態では上段容器２２のフランジ部２８に設けた係合解除手段３３の突片３５が容器支持用室内第１レール部２９のストッパー３４に係当しているので、上段容器２２を若干持ち上げストッパー３４を乗り越えさせて手前側に引き出すことになる。
【００４９】
また、下段容器２１を引き出した際、既述した如く上段容器２２の前端部が視認できるので、上段容器２２の存在を認識し、その中に収納している食材を思い出したり確認したりすることができ、食材の二重買いや、長期間使用せずに放置してその食材を廃棄するなどの浪費を未然に防止することができる。
【００５０】
加えて、上記係合解除手段３３は、上段容器２２の前後方向の中心点より前方位置、この実施の形態では上段容器２２の開口前方端が冷蔵庫本体１の前面に位置する時点で容器支持用室内第１レール部２９に乗り上げて第１凸部２５と凹部３１との係合を解除するように設けてあるから、上段容器２２を停止させた時の下段容器２１の図７のＸで示す引出し出代は少なくできる。したがって、例えば上段容器２２内に収納されている食材を確認すべく上段容器２２内を覗き込んだり、上段容器２２内の手前部分の氷を取り出すために下段容器２１を引き出した際の下段容器２１の上部開口面積は少ないものとなり、その分下段容器２１内の冷気が外気に漏出する量を抑えたり、高温外気が侵入してくる量を抑えることができ、更に省エネ性の高いものとすることができる。
【００５１】
また、上記上段容器２２の所定位置での停止は係合解除手段３３が冷凍室９側壁の容器支持用室内第１レール部２９に乗り上げることによって自動的に行われるから、使用者は別途上段容器２２を持ち上げるなどして上段容器２２の下段容器２１との係合を解除する操作をする必要がなく、扉１２を引き出すだけでよいので、操作性の良いものとなり使い勝手が向上する。
【００５２】
以上、本発明の実施の形態について説明してきたが、上記実施の形態で説明した構成は本発明を実施する一例として示したものであり、本発明の目的を達成する範囲で種々変更可能なことは言うまでもない。
【００５３】
例えば、下段容器２１と上段容器２２との係合を解除する係合解除手段３３は、上段容器２２のフランジ部２８に下向きに設けて上段容器２２を上方に移動させることにより係合解除するものを例示したが、これは上段容器２２を横方向に移動させることによって係合解除するように設けてもよいものであり、上・下両容器の係合を解除できる構成のものであればどのようなものであってもよいものである。
【００５４】
同様に下段容器２１と上段容器２２とを係合する係合手段はこれら両者の載置面部分に凹凸部を設けて構成したものを例示したが、側面で係合連係させるようにしてもよく、これまた上・下両容器を一時的に係合させることができるものであればどのようなものであってもよいものである。
【００５５】
なお、本発明において、係合とは上段容器を下段容器に固定させて上・下段容器の移動を強制的に連動させることを意味する。
【００５６】
更にこの実施の形態では上記引出扉式貯蔵室構成を冷凍室９に適用したもので説明したが、これは野菜室８に適用してもよいものであり、引出扉式貯蔵室であればどのような貯蔵室に適用してもよいものである。
【産業上の利用可能性】
【００５７】
本発明にかかる冷蔵庫は、引出扉式貯蔵室の扉開成時における上段容器内の冷気の無駄な漏出を抑制するとともに上段容器の引出操作も容易に行え、省エネ性が高く、かつ、使い勝手の良い冷蔵庫とすることができ、家庭用はもちろん業務用冷蔵庫にも幅広く適用することができる。
【符号の説明】
【００５８】
１  冷蔵庫本体
５，６  仕切板
７  冷蔵室
８  野菜室
９  冷凍室
１０，１１，１２  扉
１４  機械室
１５  圧縮機
１６  冷却室
１８  冷却器
１９  冷却ファン
２０  冷気搬送路
２１  下段容器
２２  上段容器
２３  レール部
２４  支持部材
２５  第１凸部
２６  第２凸部
２７  容器支持用レール部
２８  フランジ部
２９  容器支持用室内第１レール部
３０  容器支持用室内第２レール部
３１  凹部
３２  係合手段
３３  係合解除手段
３４  ストッパー
３５  突片
【図１】
2015200420.tif 000003
【図２】
2015200420.tif 000004
【図３】
2015200420.tif 000005
【図４】
2015200420.tif 000006
【図５】
2015200420.tif 000007
【図６】
2015200420.tif 000008
【図７】
2015200420.tif 000009
【図８】
2015200420.tif 000010
【図９】
2015200420.tif 000011
【図１０】
2015200420.tif 000012
【図１１】
2015200420.tif 000013